(57)【要約】【課題】  製作コストが比較的低く、使用時の変形量は比較的大きく、使用者の頭の形に合うことが可能で、睡眠時の不快感を低減可能な枕を提供する。【解決手段】  枕カバー２０は、通気性があり、風を通す布で製成されたカバーであり、内部にはひとつの収容空間２１を有する。弾性を有する塊３０は、エマルジョンビニル（スポンジ類なども可）を型射出成形することにより製成された小さな球体であり、枕カバー２０の収容空間２１の中に詰め込まれ、かつ枕カバー２０により固定される。弾性を有する塊３０と弾性を有する塊３０の間には隙間３１が生じる。使用時、枕カバー２０内の弾性を有する塊３０は圧力を受け変形し、かつ頭、頸部の下部の弾性を有する塊３０は、隙間３１が圧力を受け変形する関係で、枕カバー２０の両側に微妙に移動し、枕１０の変形量をより大きくする。よって、枕１０を更に使用者の頭の形に合ったものとする。【選択図】    図１
0003102394.tif 000002
【実用新案登録請求の範囲】
【請求項１】
枕であって、ひとつの枕カバーにより、ひとつの収容空間を有し、また多数の弾性を有する塊は、エマルジョンビニルあるいはスポンジなどの材質で製成され、かつ枕カバーの収容空間内に収容されることを特徴とする枕。
【請求項２】
前記弾性を有する塊は全て球状であることを特徴とする請求項１記載の枕。
【請求項３】
前記弾性を有する塊はいろいろな形状を有することを特徴とする請求項１記載の枕。
【請求項４】
前記弾性を有する塊の形状は矩形、円柱体、棒状のいずれかの形状であることを特徴とする請求項３記載の枕。
【請求項５】
前記枕カバーは透明であることを特徴とする請求項１記載の枕。
【請求項６】
前記枕カバーは透明ビニールにより形成され、その表面には多数の通気孔を有することを特徴とする請求項５記載の枕。
【請求項７】
前記弾性を有する塊は色彩を有することを特徴とする請求項１記載の枕。
【請求項８】
前記弾性を有する塊は香りを有することを特徴とする請求項１記載の枕。
【考案の詳細な説明】
【技術分野】
【０００１】
本考案は、枕に関する。
【背景技術】
【０００２】
多くのひとが睡眠の質の重要さに注意をはらうようになり、寝具に対する要求は高まっている。とりわけ枕においては、自分の頭に適合する枕は、朝までぐっすりと眠ることが可能となるため、多くの人が心地よさ及び通気の機能を求めている。最も重要な事は自身の頭の形に適合することであるが、ひとりひとりの頭の形にはそれぞれ僅かな違いがあるため、自身の頭の形に適合した枕を買うのは容易なことではない。
【０００３】
従って近年来既に多くのメーカーが関連する製品を開発している。これは主に快適感、通気性に対し、そして人体工学に符合する方向で研究開発されている。最もよくみられるのがエマルジョンビニル或いはスポンジなどを一体成型製成した枕であり（世間で言われる宇宙枕、人体工学枕、記憶枕など）、多くは頚椎から後頭部にかけての曲線に合い、かつ材質の通気性と支持力により消費者に一種の快適な使用感覚を提供している。
【考案の開示】
【考案が解決しようとする課題】
【０００４】
しかしながら、上述の従来各方式のエマルジョンビニル枕は、一般にメーカーから各種の形状、サイズの型が出されているが、射出成形を利用し形状の異なる、或いは成人枕、子供枕など大小の異なる枕を製造しているため、必要な型が比較的多くなり、製造コストの上昇は少なくない。
【０００５】
また、従来のエマルジョンビニル枕の材質そのものの変形量には一定の限度があり、使用者が横たわり枕を使用する場合、枕が使用者の頭の形の曲線に完全に合うことは難しく、且つ睡眠中に使用者は寝返りを打つため、エマルジョンビニル枕は人体の姿勢の変化に順応すべく変形することが可能ではない。
同時に、枕の製造材質に通気性があるか否かについては、枕の優劣に更に直接の関係がある。仮に材質そのものの通気性が不良である場合、使用者が睡眠時、蒸し暑さを感じやすく睡眠の質が低下する。よって消費者は枕を購入する場合、やはり細心の注意で自身に合った製品製を選択することが必要となってくる。
【０００６】
したがって本考案の主要な目的は製作コストが比較的低く、使用時の変形量は比較的大きく、使用者の頭の形に合うことが可能で、睡眠時の不快感を低減可能な枕を提供することにある。
【課題を解決するための手段】
【０００７】
上述の目的を達成するために本考案の請求項に記載の枕は、ひとつの収容空間を有する枕カバーと関連があり、またその枕カバー内に弾性を有する塊を詰めている。その弾性を有する塊はエマルジョンビニル或いはスポンジなどの材質により製成されている。
【考案を実施するための最良の形態】
【０００８】
以下、本考案の実施例を図面に基づいて説明する。
図１は、本考案の第一実施例による枕１０であり、以下のものを含む。
ひとつの枕カバー２０は、通気性があり、風を通す布で製成されたカバーであり、内部にはひとつの収容空間２１を有する。
多数の弾性を有する塊３０は、エマルジョンビニル（スポンジ類なども可）を型射出成形することにより製成された小さな球体であり、枕カバー２０の収容空間２１の中に詰め込まれ、かつ枕カバー２０により固定され（注：枕カバー２０にはファスナーを設けることが可能で、ファスナーにより弾性を有する塊３０を枕カバー２０の中に固定し、或いは直接枕カバー２０の開口部に縫い付けることが可能であり、弾性を有する塊３０は枕カバー２０に固定される）、かつ弾性を有する塊３０と弾性を有する塊３０の間には隙間３１が生じる。
【０００９】
上述の構造により、使用者が枕１０に横たわったとき、枕カバー２０内の弾性を有する塊３０は圧力を受け変形し、かつ頭、頸部の下部の弾性を有する塊３０は、隙間３１が圧力を受け変形する関係で、枕カバー２０の両側に微妙に移動し、枕１０の変形量をより大きくする。よって、枕１０を更に使用者の頭の形に合ったものとする。このほか、使用者が睡眠状態にあるとき頭の角度を変えた場合、枕１０は変形する力を受け、弾性を有する塊３０と弾性を有する塊３０の間は使用者の姿勢の変化に従い相対して変化を生み、使用者が横たわっているとき、頭や頸部は支持を受けることが可能であり、睡眠状態は更に快適なものとなる。
そのほか、隙間３１は枕１０内部の温度と湿気を下げることが可能で、使用者が睡眠状態にあるとき、頭部の感覚は非常に爽やかで快適となる。
【００１０】
これら以外にも、メーカーはただ大量に同じ弾性を有する塊３０を生産すれば良い。異なった数量を大小の異なる枕カバー２０の中に詰め込むことで、すなわち各種の異なるサイズの枕を生産することが可能であり、生産コストを節約可能である。
【００１１】
説明に必ず付け加えなければならないこととして、本考案はもちろん弾性を有する塊３０の形や外観を限定しているものでは当然なく、すなわち良好な弾性支持力が提供可能であれば、それは本考案の精神に符合するものである。
【００１２】
例を挙げて言えば、図２は本考案の第二実施例の枕４０を示す。これはひとつの子供枕に関連している。その枕カバー４１は内部を透視可能な材質のビニルにより製成されていて（内部を透視できる布で製造しても可）、表面には多数の通気孔４２を有する。多くの種類の形状及び色の多数の弾性を有する塊４３がその中に詰め込まれている。例えば、矩形、長い柱状、月形状などである。これにより子供の興味を引く枕に構成されています。
【００１３】
そのほか、本考案の枕では、その弾性を有する塊の製造過程において、各種の精神を鎮め、眠気を誘う香りの液体に浸すことも可能であり、使用者が睡眠する際、より優れた睡眠の質を得ることが可能となる。
【図面の簡単な説明】
【００１４】
【図１】本考案の第一実施例による枕を示す立体図である。
【図２】本考案の第二実施例による枕を示す立体図である。
【符号の説明】
【００１５】
１０  枕、２０  枕カバー、２１  収容空間、３０  弾性を有する塊、３１  隙間、４０  枕、４１  枕カバー、４２  通気孔、４３  弾性を有する塊
【図１】
0003102394.tif 000003
【図２】
0003102394.tif 000004